(57)【要約】      （修正有）【課題】適当な時期に、冷却タンクと加熱タンクの夫々に接続した給水配管としての冷水供給管と温水供給管における特に蛇口に近い側の部分の内部の熱湯による殺菌洗浄を行い、逆汚染による細菌の増殖を抑制する浄水供給器を提供する。【解決手段】冷却タンクと、加熱タンクとを備え、冷却タンクに給水配管として冷水供給管を接続する一方、加熱タンクに給水配管として温水供給管を接続してなる。冷水供給管と温水供給管の夫々における下流端近傍部に電磁弁又は手動式の弁を設け、夫々の下流端を共通の蛇口に接続し、更に温水供給管を電磁弁又は手動式の弁の上流側において分岐させ、その下流端を冷水供給管の電磁弁又は手動式の弁の上流側に三方弁を介して接続する。適当な時期に、電磁弁又は手動式の弁と三方弁とをもって流路を切り替え、加熱タンクから殺菌洗浄に必要な温度の熱湯を温水供給管と冷水供給管のいずれか又は両方に流す。【選択図】図１
0003165376.tif 000002
【実用新案登録請求の範囲】
【請求項１】
浄化した浄水を冷却又は加熱して供給する浄水供給器において、給水配管に、適時、殺菌洗浄に必要な温度の熱湯を流すことができるようになしたことを特徴とする浄水供給器。
【請求項２】
浄水供給器が、浄水を貯留して冷却する冷却タンクと、浄水を加熱する加熱タンクとを備え、前記冷却タンクに給水配管として冷水供給管を接続する一方、前記加熱タンクに給水配管として温水供給管を接続してなる浄水供給器である請求項１記載の浄水供給器。
【請求項３】
冷水供給管と温水供給管の夫々における下流端近傍部に電磁弁又は手動式の弁を設けると共に、冷水供給管と温水供給管の夫々の下流端を共通の蛇口に接続し、更に温水供給管を前記電磁弁又は手動式の弁の上流側において分岐せしめてその下流端を冷水供給管の前記電磁弁又は手動式の弁の上流側に接続し、該接続部分に三方弁を設けてなる請求項２記載の浄水供給器。
【請求項４】
冷水供給管と温水供給管の夫々における下流端近傍部に電磁弁又は手動式の弁を設けると共に、冷水供給管と温水供給管の夫々の下流端を共通の蛇口に接続し、更に温水供給管を前記電磁弁又は手動式の弁の上流側において分岐せしめてその下流端を冷水供給管の前記電磁弁又は手動式の弁の上流側に接続し、該温水供給管の分岐部分に電磁弁又は手動式の弁を設けてなる請求項２記載の浄水供給器。
【請求項５】
冷水供給管における下流端近傍部に電磁弁又は手動式の弁を設けると共にその下流端を蛇口に接続し、更に温水供給管の下流端を冷水供給管の前記電磁弁又は手動式の弁の上流側に接続し、該接続部分に三方弁を設けてなる請求項２記載の浄水供給器。
【請求項６】
冷水供給管における下流端近傍部に電磁弁又は手動式の弁を設けると共にその下流端を蛇口に接続し、温水供給管の下流端を冷水供給管の前記電磁弁又は手動式の弁の上流側に接続し、更に温水供給管の下流端近傍部に電磁弁又は手動式の弁を設けると共に、冷水供給管における前記温水供給管の下流端の接続部分の上流側の部分に電磁弁又は手動式の弁を設けてなる請求項２記載の浄水供給器。
【考案の詳細な説明】
【技術分野】
【０００１】
本考案は浄化した浄水を冷却又は加熱して供給する浄水供給器に関するものである。
【背景技術】
【０００２】
浄化した浄水を冷却又は加熱して供給する浄水供給器としては、従来種々のものが提供されている。
【０００３】
図５及び図６には従来の一般的な浄水供給器を示しており、先ず図５に示す浄水供給器について説明する。
【０００４】
該浄水供給器１００は、浄水Ｗを貯留して冷却する冷却タンク１０１と、浄水Ｗを加熱する加熱タンク１０２とを備え、前記冷却タンク１０１に給水配管として冷水供給管１０３を接続する一方、前記加熱タンク１０２に給水配管として温水供給管１０４を接続してなるものである。尚、前記冷却タンク１０１にはこれを冷却する装置を、また前記加熱タンク１０２にはこれを加熱する装置を夫々備えているが、これらについては公知であるから説明を省略する。
【０００５】
また、従来一般的な浄水供給器には、原水を浄化する膜処理槽及び活性炭槽からなる浄化部（図示せず。）を備え、該浄化部において浄化した浄水を前記冷却タンク１０１と加熱タンク１０２に送出するようになしたものと、浄水供給器とは別体の浄化装置（図示せず。）により予め浄化した浄水を浄水タンク（図示せず。）に貯留し、該浄水タンク内の水を前記冷却タンク１０１と加熱タンク１０２に導入するようになしたものとがあるが、図５に示した例は前者の場合である。
【０００６】
また、該浄水供給器１００においては、冷水供給管１０３と温水供給管１０４の夫々における先端近傍部に電磁弁又は手動式の弁１０５、１０６を設けると共に、冷水供給管１０３と温水供給管１０４の夫々の先端部を共通の蛇口１０７に接続している。
【０００７】
而して、該浄水供給器１００は、冷却した浄水を供給するときには、電磁弁又は手動式の弁１０５を開放して冷水供給管１０３から蛇口１０７に給水し、また加熱した浄水を供給するときには、電磁弁又は手動式の弁１０６を開放して温水供給管１０４から蛇口１０７に給水するものである。
【０００８】
次に、図６に示す浄水供給器について説明する。
該浄水供給器と前記図５に示す浄水供給器とは、該浄水供給器において冷水供給管１０３と温水供給管１０４の夫々の下流端を別々の蛇口１１０、１１１に接続している点において相違している。尚、その他の構成は前記図５に示す浄水器と同様であるから、同一の部材には同一の符号を付して詳細な説明は省略する。
【０００９】
而して、該浄水供給器１００は、冷却した浄水を供給するときには、電磁弁又は手動式の弁１０５を開放して冷水供給管１０３から蛇口１１０に給水し、また加熱した浄水を供給するときには、電磁弁又は手動式の弁１０６を開放して温水供給管１０４から蛇口１１１に給水するものである。
【００１０】
ところで、上記一般的な浄水供給器１００においては、冷却タンク１０１と加熱タンク１０２内には、水道水中の遊離残留塩素やその他の溶存物質、懸濁物質等が除去された浄水が入れられるが、該浄水中には僅かではあるがミネラルその他の細菌の栄養源が残留している。したがって、何らかの経路から浄水供給器１００内に侵入した細菌が、その内部において該栄養源を栄養にして繁殖することがある。
【００１１】
また、細菌の浄水供給器１００内への侵入経路の一つに、水を放出する蛇口１０７、１１０、１１１からの侵入がある。即ち、蛇口１０７、１１０、１１１の開口部から空気中の浮遊細菌が入り込み、これが繁殖しつつ次第に冷水供給管１０３と温水供給管１０４の奥に広がるものであり、所謂逆汚染である。
【００１２】
そしてまた、浄水供給器１００の給水配管、即ち前記冷水供給管１０３や温水供給管１０４は、その殆どが素材として樹脂やゴムが用いられており、そしてこの場合には表面に細菌が繁殖し易く、また素材に含まれる可塑剤がその細菌の栄養となることから、これら冷水供給管１０３と温水供給管１０４の内部、特に蛇口１０７、１１０、１１１に近い部分は多くの細菌が繁殖することになり易い。
【００１３】
また、これらのことから冷水供給管１０３や温水供給管１０４の素材をステンレス等に代えることも行なわれているが、電磁弁又は手動式の弁１０５、１０６の部品等に樹脂やゴムが用いられることから、コストの割に大きな効果を挙げることはできない。また、この他に冷水供給管１０３と温水供給管１０４に紫外線殺菌装置を設置することも行なわれているが、電磁弁又は手動式の弁１０５、１０６以降の下流側の部分で増殖した細菌を殺菌することはできず、逆汚染対策にはなっていない。
【００１４】
このように、浄水供給器１００における冷水供給管１０３と温水供給管１０４の内部、特に蛇口１０７、１１０、１１１に近い部分は多くの細菌が繁殖することになり易いが、従来これを防ぐ対策はとられていない。
【考案の概要】
【考案が解決しようとする課題】
【００１５】
本考案は上記の点に鑑みなされたものであって、適時、給水配管としての冷水供給管と温水供給管における特に蛇口に近い側の部分の内部の熱湯による殺菌洗浄を行なうことができるようになし、もって逆汚染による細菌の増殖を抑制することができるようになした浄水供給器を提供しようとするものである。
【課題を解決するための手段】
【００１６】
而して、本考案の要旨とするところは、浄化した浄水を冷却又は加熱して供給する浄水供給器において、給水配管に、適時、殺菌洗浄に必要な温度の熱湯を流すことができるようになしたことを特徴とする浄水供給器にある。
【００１７】
また、上記構成における浄水供給器としては、浄水を貯留して冷却する冷却タンクと、浄水を加熱する加熱タンクとを備え、前記冷却タンクに給水配管として冷水供給管を接続する一方、前記加熱タンクに給水配管として温水供給管を接続してなる浄水供給器を挙げることができる。
【００１８】
また、斯かる構成において、冷水供給管と温水供給管の夫々における下流端近傍部に電磁弁又は手動式の弁を設けると共に、冷水供給管と温水供給管の夫々の下流端を共通の蛇口に接続し、更に温水供給管を前記電磁弁又は手動式の弁の上流側において分岐せしめてその下流端を冷水供給管の前記電磁弁又は手動式の弁の上流側に接続し、該接続部分に三方弁を設けるようにしてもよい。
【００１９】
また、斯かる構成に替えて、冷水供給管と温水供給管の夫々における下流端近傍部に電磁弁又は手動式の弁を設けると共に、冷水供給管と温水供給管の夫々の下流端を共通の蛇口に接続し、更に温水供給管を前記電磁弁又は手動式の弁の上流側において分岐せしめてその下流端を冷水供給管の前記電磁弁又は手動式の弁の上流側に接続し、該温水供給管の分岐部分に電磁弁又は手動式の弁を設けるようにしてもよい。
【００２０】
また、上記冷却タンクと加熱タンクとを備え、それらに夫々冷水供給管と温水供給管を接続してなる構成において、前記と異なり、冷水供給管における下流端近傍部に電磁弁又は手動式の弁を設けると共にその下流端を蛇口に接続し、更に温水供給管の下流端を冷水供給管の前記電磁弁又は手動式の弁の上流側に接続し、該接続部分に三方弁を設けるようにしてもよい。
【００２１】
また、斯かる構成に替えて、冷水供給管における下流端近傍部に電磁弁又は手動式の弁を設けると共にその下流端を蛇口に接続し、温水供給管の下流端を冷水供給管の前記電磁弁又は手動式の弁の上流側に接続し、更に温水供給管の下流端近傍部に電磁弁又は手動式の弁を設けると共に、冷水供給管における前記温水供給管の下流端の接続部分の上流側の部分に電磁弁又は手動式の弁を設けるようにしてもよい。
【考案の効果】
【００２２】
本考案は上記の如き構成であり、適時、給水配管としての冷水供給管と温水供給管における特に蛇口に近い側の部分の内部の熱湯による殺菌洗浄を行なうことができるようになしたものであるから、逆汚染による細菌の増殖を抑制することができるものである。また、冷水供給管と温水供給管は、高価なステンレス等の素材を用いることなく、従来通りの安価な樹脂やゴムでも充分な殺菌洗浄を行なうことができるものである。また、従来行なわれていた冷水供給管と温水供給管への紫外線殺菌装置の設置も不要であり、よってこの分のコストも不要である。
【図面の簡単な説明】
【００２３】
【図１】本考案の第１実施形態に係る浄水供給器の概略的説明図である。
【図２】本考案の第２実施形態に係る浄水供給器の概略的説明図である。
【図３】本考案の第１実施形態の変形例の要部の説明図である。
【図４】本考案の第２実施形態の変形例の要部の説明図である。
【図５】従来の浄水供給器の概略的説明図である。
【図６】従来の図５と異なる例の浄水供給器の概略的説明図である。
【考案を実施するための形態】
【００２４】
以下、本考案を実施するための形態について、図面を参照して説明する。
【００２５】
先ず、図１に示す本考案の第１実施形態について説明する。
図中、１は浄化した浄水を冷却又は加熱して供給する浄水供給器である。また、該浄水供給器１は、浄水Ｗを貯留して冷却する冷却タンク２と、浄水Ｗを加熱する加熱タンク３とを備え、前記冷却タンク２に給水配管として冷水供給管４を接続する一方、前記加熱タンク３に給水配管として温水供給管５を接続してなるものである。尚、前記冷却タンク２にはこれを冷却する装置を、また前記加熱タンク３にはこれを加熱する装置を夫々備えているが、これらについては公知であるから説明を省略する。
【００２６】
また、従来一般的な浄水供給器には、前記の通り、原水を浄化する膜処理槽及び活性炭槽からなる浄化部（図示せず。）を備え、該浄化部において浄化した浄水を前記冷却タンク２と加熱タンク３に送出するようになしたものと、浄水供給器とは別体の浄化装置（図示せず。）により予め浄化した浄水を浄水タンク（図示せず。）に貯留し、該浄水タンク内の水を前記冷却タンク２と加熱タンク３に導入するようになしたものとがあるが、本実施形態は前者の場合である。尚、説明は省略するが、後者の場合であってもよい。
【００２７】
而して、本実施形態は上記構成において、前記冷水供給管４と温水供給管５の夫々における下流端近傍部に電磁弁又は手動式の弁６、７を設けると共に、冷水供給管４と温水供給管５の夫々の下流端を共通の蛇口８に接続し、更に温水供給管５を前記電磁弁又は手動式の弁７の上流側において分岐せしめてその下流端を冷水供給管４の前記電磁弁又は手動式の弁６の上流側に接続し、該接続部分に三方弁９を設けてなるものである。尚、５ａは温水供給管５の分岐部分である。また、その他図において、１０は前記冷却タンク２内に設けた紫外線殺菌灯、１１は前記加熱タンク３の頂部と前記冷却タンク２の頂部との間に設けた、膨張した空気の排出管である。
【００２８】
而して、該浄水供給器１は、冷却した浄水を供給するときには、電磁弁又は手動式の弁６を開放した状態において、三方弁９により温水供給管５から冷水供給管４への流路を遮断し、冷水供給管４から蛇口８に給水し、また加熱した浄水を供給するときには、電磁弁又は手動式の弁７を開放した状態において、三方弁９により温水供給管５から冷水供給管４への流路を遮断し、温水供給管５から蛇口８に給水するものである。
【００２９】
また、殺菌洗浄するときには、先ず、電磁弁又は手動式の弁７を開放した状態において、三方弁９により温水供給管５の分岐部分５ａから冷水供給管４への流路を遮断する。この状態において加熱タンク３から殺菌洗浄に必要な温度の熱湯を流す。これにより温水供給管５の全体を殺菌洗浄する。
【００３０】
次に、電磁弁又は手動式の弁６を開放する一方電磁弁又は手動式の弁７を遮断した状態において、三方弁９により温水供給管５の分岐部分５ａから冷水供給管４への流路に切り替える。そして、この状態において加熱タンク３から殺菌洗浄に必要な温度の熱湯を流す。これにより冷水供給管４における蛇口８に近い部分の内部の殺菌洗浄を行なうものである。尚、殺菌洗浄を行なう順序については、前記と逆にしてもよい。また、場合によっては、電磁弁又は手動式の弁６、７の両方を開放した状態において、三方弁９により温水供給管５の分岐部分５ａから冷水供給管４への流路に切り替え、この状態において加熱タンク３から殺菌洗浄に必要な熱湯を流すことにより、冷水供給管４と温水供給管５を同時に殺菌洗浄するようにしてもよい。
【００３１】
また、斯かる殺菌洗浄は、適時に、手動又は自動にて行なうものである。また、時期については、本実施形態においては冷水供給管４と温水供給管５内の溜まり水を排出する、所謂捨て水を行なう際に行なうようにしているが、これに限らず適当な時期に行なえばよい。
【００３２】
次に、図２に示した本考案の第２実施形態について説明する。
本実施形態において前記第１実施形態と相違する点は、本実施形態において、冷水供給管４における先端近傍部に電磁弁又は手動式の弁１２を設けると共にその先端部を蛇口１３に接続し、更に温水供給管５の先端部を冷水供給管４の前記電磁弁又は手動式の弁１２の上流側に接続し、該接続部分に三方弁１４を設けた点にある。尚、その他の構成は前記第１実施形態と同様であるから、同一の部材には同一の符号を付して詳細な説明は省略する。
【００３３】
次に、本実施形態による殺菌洗浄作用について説明する。
電磁弁又は手動式の弁１２を開放した状態において、三方弁１４により温水供給管５から冷水供給管４への流路に切り替える。そして、この状態において加熱タンク３から殺菌洗浄に必要な温度の熱湯を流す。これにより温水供給管５と冷水供給管４における蛇口１３に近い部分の内部の殺菌洗浄を行なうものである。
【００３４】
次に、図３に示した前記第１実施形態の変形例について説明する。
本変形例において前記第１実施形態と相違する点は、本変形例において、流路の切り替えを前記第１実施形態における三方弁によらない構成とした点にある。即ち、本変形例は、冷水供給管４と温水供給管５の夫々における下流端近傍部に電磁弁又は手動式の弁６、７を設けると共に、冷水供給管４と温水供給管５の夫々の下流端を共通の蛇口８に接続し、更に温水供給管５を前記電磁弁又は手動式の弁７の上流側において分岐せしめてその下流端を冷水供給管４の前記電磁弁又は手動式の弁６の上流側に接続し、該温水供給管５の分岐部分５ａに電磁弁又は手動式の弁１５を設けてなるものである。
【００３５】
而して、本変形例は、電磁弁又は手動式の弁１５をもって温水供給管５から冷水供給管４への流路を切り替えるものである。
【００３６】
次に、図４に示した前記第２実施形態の変形例について説明する。
本変形例において前記第２実施形態と相違する点は、本変形例において、流路の切り替えを前記第２実施形態における三方弁によらない構成とした点にある。即ち、本変形例は、冷水供給管４における下流端近傍部に電磁弁又は手動式の弁１２を設けると共にその下流端を蛇口１３に接続し、温水供給管５の下流端を冷水供給管４の前記電磁弁又は手動式の弁１２の上流側に接続し、更に温水供給管５の下流端近傍部に電磁弁又は手動式の弁１６を設けると共に、冷水供給管４における前記温水供給管５の下流端の接続部分の上流側の部分に電磁弁又は手動式の弁１７を設けてなるものである。
【００３７】
而して、本変形例は、冷却した浄水を供給するときには、電磁弁又は手動式の弁１２、１７を開放した状態において、電磁弁又は手動式の弁１６を閉じて温水供給管５から冷水供給管４への流路を遮断し、冷水供給管４から蛇口１３に給水し、また加熱した浄水を供給するときには、電磁弁又は手動式の弁１２を開放する一方電磁弁又は手動式の弁１７を閉じた状態において、電磁弁又は手動式の弁１６を開放して温水供給管５から冷水供給管４への流路を開通し、温水供給管５から蛇口１３に給水するものである。電磁弁又は手動式の弁１５をもって温水供給管５から冷水供給管４への流路を切り替えるものである。
【００３８】
また、殺菌洗浄するときには、上記加熱した浄水を供給するときと同様の流路となし、加熱タンク３から殺菌洗浄に必要な熱湯を流すものである。
【符号の説明】
【００３９】
１  浄水供給器
２  冷却タンク
３  加熱タンク
４  冷水供給管
５  温水供給管
５ａ  分岐部分
６、７  電磁弁又は手動式の弁
８  蛇口
９  三方弁
１２  電磁弁又は手動式の弁
１３  蛇口
１４  三方弁
１５  電磁弁又は手動式の弁
１６、１７  電磁弁又は手動式の弁
【図１】
0003165376.tif 000003
【図２】
0003165376.tif 000004
【図３】
0003165376.tif 000005
【図４】
0003165376.tif 000006
【図５】
0003165376.tif 000007
【図６】
0003165376.tif 000008
【手続補正書】
【提出日】平成22年11月5日(2010.11.5)
【手続補正１】
【補正対象書類名】明細書
【補正対象項目名】全文
【補正方法】変更
【補正の内容】
【考案の詳細な説明】
【技術分野】
【０００１】  本考案は浄化した浄水を冷却又は加熱して供給する浄水供給器に関するものである。
【背景技術】
【０００２】  浄化した浄水を冷却又は加熱して供給する浄水供給器としては、従来種々のものが提供されている。【０００３】  図５及び図６には従来の一般的な浄水供給器を示しており、先ず図５に示す浄水供給器について説明する。【０００４】  該浄水供給器１００は、浄水Ｗを貯留して冷却する冷却タンク１０１と、浄水Ｗを加熱する加熱タンク１０２とを備え、前記冷却タンク１０１に給水配管として冷水供給管１０３を接続する一方、前記加熱タンク１０２に給水配管として温水供給管１０４を接続してなるものである。尚、前記冷却タンク１０１にはこれを冷却する装置を、また前記加熱タンク１０２にはこれを加熱する装置を夫々備えているが、これらについては公知であるから説明を省略する。【０００５】  また、従来一般的な浄水供給器には、原水を浄化する膜処理槽及び活性炭槽からなる浄化部（図示せず。）を備え、該浄化部において浄化した浄水を前記冷却タンク１０１と加熱タンク１０２に送出するようになしたものと、浄水供給器とは別体の浄化装置（図示せず。）により予め浄化した浄水を浄水タンク（図示せず。）に貯留し、該浄水タンク内の水を前記冷却タンク１０１と加熱タンク１０２に導入するようになしたものとがあるが、図５に示した例は前者の場合である。【０００６】  また、該浄水供給器１００においては、冷水供給管１０３と温水供給管１０４の夫々における先端近傍部に電磁弁又は手動式の弁１０５、１０６を設けると共に、冷水供給管１０３と温水供給管１０４の夫々の先端部を共通の蛇口１０７に接続している。【０００７】  而して、該浄水供給器１００は、冷却した浄水を供給するときには、電磁弁又は手動式の弁１０５を開放して冷水供給管１０３から蛇口１０７に給水し、また加熱した浄水を供給するときには、電磁弁又は手動式の弁１０６を開放して温水供給管１０４から蛇口１０７に給水するものである。【０００８】  次に、図６に示す浄水供給器について説明する。  該浄水供給器と前記図５に示す浄水供給器とは、該浄水供給器において冷水供給管１０３と温水供給管１０４の夫々の下流端を別々の蛇口１１０、１１１に接続している点において相違している。尚、その他の構成は前記図５に示す浄水器と同様であるから、同一の部材には同一の符号を付して詳細な説明は省略する。【０００９】  而して、該浄水供給器１００は、冷却した浄水を供給するときには、電磁弁又は手動式の弁１０５を開放して冷水供給管１０３から蛇口１１０に給水し、また加熱した浄水を供給するときには、電磁弁又は手動式の弁１０６を開放して温水供給管１０４から蛇口１１１に給水するものである。【００１０】  ところで、上記一般的な浄水供給器１００においては、冷却タンク１０１と加熱タンク１０２内には、水道水中の遊離残留塩素やその他の溶存物質、懸濁物質等が除去された浄水が入れられるが、該浄水中には僅かではあるがミネラルその他の細菌の栄養源が残留している。したがって、何らかの経路から浄水供給器１００内に侵入した細菌が、その内部において該栄養源を栄養にして繁殖することがある。【００１１】  また、細菌の浄水供給器１００内への侵入経路の一つに、水を放出する蛇口１０７、１１０、１１１からの侵入がある。即ち��蛇口１０７、１１０、１１１の開口部から空気中の浮遊細菌が入り込み、これが繁殖しつつ次第に冷水供給管１０３と温水供給管１０４の奥に広がるものであり、所謂逆汚染である。【００１２】  そしてまた、浄水供給器１００の給水配管、即ち前記冷水供給管１０３や温水供給管１０４は、その殆どが素材として樹脂やゴムが用いられており、そしてこの場合には表面に細菌が繁殖し易く、また素材に含まれる可塑剤がその細菌の栄養となることから、これら冷水供給管１０３と温水供給管１０４の内部、特に蛇口１０７、１１０、１１１に近い部分は多くの細菌が繁殖することになり易い。【００１３】  また、これらのことから冷水供給管１０３や温水供給管１０４の素材をステンレス等に代えることも行なわれているが、電磁弁又は手動式の弁１０５、１０６の部品等に樹脂やゴムが用いられることから、コストの割に大きな効果を挙げることはできない。また、この他に冷水供給管１０３と温水供給管１０４に紫外線殺菌装置を設置することも行なわれているが、電磁弁又は手動式の弁１０５、１０６以降の下流側の部分で増殖した細菌を殺菌することはできず、逆汚染対策にはなっていない。【００１４】  このように、浄水供給器１００における冷水供給管１０３と温水供給管１０４の内部、特に蛇口１０７、１１０、１１１に近い部分は多くの細菌が繁殖することになり易いが、従来これを防ぐ対策はとられていない。
【考案の概要】
【考案が解決しようとする課題】
【００１５】  本考案は上記の点に鑑みなされたものであって、適当な時期に、冷却タンクと加熱タンクの夫々に接続した給水配管としての冷水供給管と温水供給管における特に蛇口に近い側の部分の内部の熱湯による殺菌洗浄を行なうようになし、もって逆汚染による細菌の増殖を抑制することができるようになした浄水供給器を提供しようとするものである。
【課題を解決するための手段】
【００１６】  而して、本考案の要旨とするところは、以下（１）〜（４）の浄水供給器にある。【００１７】 （１）浄水を貯留して冷却する冷却タンクと、浄水を加熱する加熱タンクとを備え、前記冷却タンクに給水配管として冷水供給管を接続する一方、前記加熱タンクに給水配管として温水供給管を接続してなる浄水供給器において、前記冷水供給管と前記温水供給管の夫々における下流端近傍部に電磁弁又は手動式の弁を設けると共に、前記冷水供給管と前記温水供給管の夫々の下流端を共通の蛇口に接続し、更に前記温水供給管をそれに設けた前記電磁弁又は手動式の弁の上流側において分岐せしめてその下流端を前記冷水供給管の前記電磁弁又は手動式の弁の上流側に接続すると共に該接続部分に三方弁を設け、適当な時期に、前記冷水供給管と前記温水供給管の夫々に設けた電磁弁又は手動式の弁と接続部分に設けた三方弁とをもって流路を切り替え、前記加熱タンクから殺菌洗浄に必要な温度の熱湯を前記温水供給管と前記冷水供給管のいずれか又は両方に流すようになしたことを特徴とする浄水供給器。【００１８】 （２）浄水を貯留して冷却する冷却タンクと、浄水を加熱する加熱タンクとを備え、前記冷却タンクに給水配管として冷水供給管を接続する一方、前記加熱タンクに給水配管として温水供給管を接続してなる浄水供給器において、前記冷水供給管と前記温水供給管の夫々における下流端近傍部に電磁弁又は手動式の弁を設けると共に、前記冷水供給管と前記温水供給管の夫々の下流端を共通の蛇口に接続し、更に前記温水供給管をそれに設けた前記電磁弁又は手動式の弁の上流側において分岐せしめてその下流端を前記冷水供給管の前記電磁弁又は手動式の弁の上流側に接続すると共に該温水供給管の分岐部分に電磁弁又は手動式の弁を設け、適当な時期に、前記冷水供給管と前記温水供給管の夫々に設けた電磁弁又は手動式の弁と温水供給管の分岐部分に設けた電磁弁又は手動式の弁とをもって流路を切り替え、前記加熱タンクから殺菌洗浄に必要な温度の熱湯を前記温水供給管と前記冷水供給管のいずれか又は両方に流すようになしたことを特徴とする浄水供給器。【００１９】 （３）浄水を貯留して冷却する冷却タンクと、浄水を加熱する加熱タンクとを備え、前記冷却タンクに給水配管として冷水供給管を接続する一方、前記加熱タンクに給水配管として温水供給管を接続してなる浄水供給器において、前記冷水供給管における下流端近傍部に電磁弁又は手動式の弁を設けると共にその下流端を蛇口に接続し、更に前記温水供給管の下流端を前記冷水供給管の前記電磁弁又は手動式の弁の上流側に接続すると共に該接続部分に三方弁を設け、適当な時期に、前記温水供給管の接続部分に設けた三方弁をもって流路を切り替え、前記加熱タンクから殺菌洗浄に必要な温度の熱湯を前記温水供給管と前記冷水供給管に流すようになしたことを特徴とする浄水供給器。【００２０】 （４）浄水を貯留して冷却する冷却タンクと、浄水を加熱する加熱タンクとを備え、前記冷却タンクに給水配管として冷水供給管を接続する一方、前記加熱タンクに給水配管として温水供給管を接続してなる浄水供給器において、前記冷水供給管における下流端近傍部に電磁弁又は手動式の弁を設けると共に、その下流端を蛇口に接続し、前記温水供給管の下流端を前記冷水供給管の前記電磁弁又は手動式の弁の上流側に接続し、更に前記温水供給管の下流端近傍部に電磁弁又は手動式の弁を設けると共に、前記冷水供給管における前記温水供給管の下流端の接続部分の上流側の部分に電磁弁又は手動式の弁を設け、適当な時期に、前記冷水供給管と前記温水供給管の夫々に設けた電磁弁又は手動式の弁とをもって流路を切り替え、前記加熱タンクから殺菌洗浄に必要な温度の熱湯を前記温水供給管と前記冷水供給管に流すようになしたことを特徴とする浄水供給器。
【考案の効果】
【００２１】  本考案は上記の如き構成であり、適当な時期に、冷却タンクと加熱タンクの夫々に接続した給水配管としての冷水供給管と温水供給管における特に蛇口に近い側の部分の内部の熱湯による殺菌洗浄を行なうようになしたものであるから、逆汚染による細菌の増殖を抑制することができるものである。また、冷水供給管と温水供給管は、高価なステンレス等の素材を用いることなく、従来通りの安価な樹脂やゴムでも充分な殺菌洗浄を行なうことができるものである。また、従来行なわれていた冷水供給管と温水供給管への紫外線殺菌装置の設置も不要であり、よってこの分のコストも不要である。
【図面の簡単な説明】
【００２２】
【図１】本考案の第１実施形態に係る浄水供給器の概略的説明図である。
【図２】本考案の第２実施形態に係る浄水供給器の概略的説明図である。
【図３】本考案の第１実施形態の変形例の要部の説明図である。
【図４】本考案の第２実施形態の変形例の要部の説明図である。
【図５】従来の浄水供給器の概略的説明図である。
【図６】従来の図５と異なる例の浄水供給器の概略的説明図である。
【考案を実施するための形態】
【００２３】  以下、本考案を実施するための形態について、図面を参照して説明する。
【００２４】  先ず、図１に示す本考案の第１実施形態について説明する。  図中、１は浄化した浄水を冷却又は加熱して供給する浄水供給器である。また、該浄水供給器１は、浄水Ｗを貯留して冷却する冷却タンク２と、浄水Ｗを加熱する加熱タンク３とを備え、前記冷却タンク２に給水配管として冷水供給管４を接続する一方、前記加熱タンク３に給水配管として温水供給管５を接続してなるものである。尚、前記冷却タンク２にはこれを冷却する装置を、また前記加熱タンク３にはこれを加熱する装置を夫々備えているが、これらについては公知であるから説明を省略する。
【００２５】  また、従来一般的な浄水供給器には、前記の通り、原水を浄化する膜処理槽及び活性炭槽からなる浄化部（図示せず。）を備え、該浄化部において浄化した浄水を前記冷却タンク２と加熱タンク３に送出するようになしたものと、浄水供給器とは別体の浄化装置（図示せず。）により予め浄化した浄水を浄水タンク（図示せず。）に貯留し、該浄水タンク内の水を前記冷却タンク２と加熱タンク３に導入するようになしたものとがあるが、本実施形態は前者の場合である。尚、説明は省略するが、後者の場合であってもよい。
【００２６】  而して、本実施形態は上記構成において、前記冷水供給管４と温水供給管５の夫々における下流端近傍部に電磁弁又は手動式の弁６、７を設けると共に、冷水供給管４と温水供給管５の夫々の下流端を共通の蛇口８に接続し、更に温水供給管５をそれに設けた前記電磁弁又は手動式の弁７の上流側において分岐せしめてその下流端を冷水供給管４の前記電磁弁又は手動式の弁６の上流側に接続すると共に該接続部分に三方弁９を設け、適当な時期に、前記冷水供給管４と前記温水供給管５の夫々に設けた電磁弁又は手動式の弁６、７と接続部分に設けた三方弁９とをもって流路を切り替え、前記加熱タンク３から殺菌洗浄に必要な温度の熱湯を前記温水供給管５と前記冷水供給管４のいずれか又は両方に流すようになしたものである。尚、５ａは温水供給管５の分岐部分である。また、その他図において、１０は前記冷却タンク２内に設けた紫外線殺菌灯、１１は前記加熱タンク３の頂部と前記冷却タンク２の頂部との間に設けた、膨張した空気の排出管である。
【００２７】  而して、該浄水供給器１は、冷却した浄水を供給するときには、電磁弁又は手動式の弁６を開放した状態において、三方弁９により温水供給管５から冷水供給管４への流路を遮断し、冷水供給管４から蛇口８に給水し、また加熱した浄水を供給するときには、電磁弁又は手動式の弁７を開放した状態において、三方弁９により温水供給管５から冷水供給管４への流路を遮断し、温水供給管５から蛇口８に給水するものである。
【００２８】  また、殺菌洗浄するときには、先ず、電磁弁又は手動式の弁７を開放した状態において、三方弁９により温水供給管５の分岐部分５ａから冷水供給管４への流路を遮断する。この状態において加熱タンク３から殺菌洗浄に必要な温度の熱湯を流す。これにより温水供給管５の全体を殺菌洗浄する。
【００２９】  次に、電磁弁又は手動式の弁６を開放する一方電磁弁又は手動式の弁７を遮断した状態において、三方弁９により温水供給管５の分岐部分５ａから冷水供給管４への流路に切り替える。そして、この状態において加熱タンク３から殺菌洗浄に必要な温度の熱湯を流す。これにより冷水供給管４における蛇口８に近い部分の内部の殺菌洗浄を行なうものである。尚、殺菌洗浄を行なう順序については、前記と逆にしてもよい。また、場合によっては、電磁弁又は手動式の弁６、７の両方を開放した状態において、三方弁９により温水供給管５の分岐部分５ａから冷水供給管４への流路に切り替え、この状態において加熱タンク３から殺菌洗浄に必要な熱湯を流すことにより、冷水供給管４と温水供給管５を同時に殺菌洗浄するようにしてもよい。
【００３０】  また、斯かる殺菌洗浄は、適当な時期に、手動又は自動にて行なうものである。また、時期については、本実施形態においては冷水供給管４と温水供給管５内の溜まり水を排出する、所謂捨て水を行なう際に行なうようにしているが、これに限らず適当な時期に行なえばよい。
【００３１】  次に、図２に示した本考案の第２実施形態について説明する。  本実施形態において前記第１実施形態と相違する点は、本実施形態において、冷水供給管４における下流端近傍部に電磁弁又は手動式の弁１２を設けると共にその下流端を蛇口１３に接続し、更に温水供給管５の下流端を冷水供給管４の前記電磁弁又は手動式の弁１２の上流側に接続し、該接続部分に三方弁１４を設けた点にある。尚、その他の構成は前記第１実施形態と同様であるから、同一の部材には同一の符号を付して詳細な説明は省略する。
【００３２】  次に、本実施形態による殺菌洗浄作用について説明する。  電磁弁又は手動式の弁１２を開放した状態において、三方弁１４により温水供給管５から冷水供給管４への流路に切り替える。そして、この状態において加熱タンク３から殺菌洗浄に必要な温度の熱湯を流す。これにより温水供給管５と冷水供給管４における蛇口１３に近い部分の内部の殺菌洗浄を行なうものである。
【００３３】  次に、図３に示した前記第１実施形態の変形例について説明する。  本変形例において前記第１実施形態と相違する点は、本変形例において、流路の切り替えを前記第１実施形態における三方弁によらない構成とした点にある。即ち、本変形例は、冷水供給管４と温水供給管５の夫々における下流端近傍部に電磁弁又は手動式の弁６、７を設けると共に、冷水供給管４と温水供給管５の夫々の下流端を共通の蛇口８に接続し、更に温水供給管５をそれに設けた前記電磁弁又は手動式の弁７の上流側において分岐せしめてその下流端を冷水供給管４の前記電磁弁又は手動式の弁６の上流側に接続し、該温水供給管５の分岐部分５ａに電磁弁又は手動式の弁１５を設けてなるものである。
【００３４】  而して、本変形例は、温水供給管５の分岐部分５ａに設けた電磁弁又は手動式の弁１５をもって温水供給管５から冷水供給管４への流路を切り替えるものである。
【００３５】  次に、図４に示した前記第２実施形態の変形例について説明する。  本変形例において前記第２実施形態と相違する点は、本変形例において、流路の切り替えを前記第２実施形態における三方弁によらない構成とした点にある。即ち、本変形例は、冷水供給管４における下流端近傍部に電磁弁又は手動式の弁１２を設けると共にその下流端を蛇口１３に接続し、温水供給管５の下流端を冷水供給管４の前記電磁弁又は手動式の弁１２の上流側に接続し、更に温水供給管５の下流端近傍部に電磁弁又は手動式の弁１６を設けると共に、冷水供給管４における前記温水供給管５の下流端の接続部分の上流側の部分に電磁弁又は手動式の弁１７を設けてなるものである。
【００３６】  而して、本変形例は、冷却した浄水を供給するときには、電磁弁又は手動式の弁１２、１７を開放した状態において、電磁弁又は手動式の弁１６を閉じて温水供給管５から冷水供給管４への流路を遮断し、冷水供給管４から蛇口１３に給水し、また加熱した浄水を供給するときには、電磁弁又は手動式の弁１２を開放する一方電磁弁又は手動式の弁１７を閉じた状態において、電磁弁又は手動式の弁１６を開放して温水供給管５から冷水供給管４への流路を開通し、温水供給管５から蛇口１３に給水するものである。
【００３７】  また、殺菌洗浄するときには、上記加熱した浄水を供給するときと同様の流路となし、加熱タンク３から殺菌洗浄に必要な熱湯を流すものである。
【符号の説明】
【００３８】  １  浄水供給器  ２  冷却タンク  ３  加熱タンク  ４  冷水供給管  ５  温水供給管  ５ａ  分岐部分  ６、７  電磁弁又は手動式の弁  ８  蛇口  ９  三方弁  １２  電磁弁又は手動式の弁  １３  蛇口  １４  三方弁  １５  電磁弁又は手動式の弁  １６、１７  電磁弁又は手動式の弁 
【手続補正２】
【補正対象書類名】実用新案登録請求の範囲
【補正対象項目名】全文
【補正方法】変更
【補正の内容】
【実用新案登録請求の範囲】
【請求項１】
浄水を貯留して冷却する冷却タンクと、浄水を加熱する加熱タンクとを備え、前記冷却タンクに給水配管として冷水供給管を接続する一方、前記加熱タンクに給水配管として温水供給管を接続してなる浄水供給器において、前記冷水供給管と前記温水供給管の夫々における下流端近傍部に電磁弁又は手動式の弁を設けると共に、前記冷水供給管と前記温水供給管の夫々の下流端を共通の蛇口に接続し、更に前記温水供給管をそれに設けた前記電磁弁又は手動式の弁の上流側において分岐せしめてその下流端を前記冷水供給管の前記電磁弁又は手動式の弁の上流側に接続すると共に該接続部分に三方弁を設け、適当な時期に、前記冷水供給管と前記温水供給管の夫々に設けた電磁弁又は手動式の弁と接続部分に設けた三方弁とをもって流路を切り替え、前記加熱タンクから殺菌洗浄に必要な温度の熱湯を前記温水供給管と前記冷水供給管のいずれか又は両方に流すようになしたことを特徴とする浄水供給器。
【請求項２】
浄水を貯留して冷却する冷却タンクと、浄水を加熱する加熱タンクとを備え、前記冷却タンクに給水配管として冷水供給管を接続する一方、前記加熱タンクに給水配管として温水供給管を接続してなる浄水供給器において、前記冷水供給管と前記温水供給管の夫々における下流端近傍部に電磁弁又は手動式の弁を設けると共に、前記冷水供給管と前記温水供給管の夫々の下流端を共通の蛇口に接続し、更に前記温水供給管をそれに設けた前記電磁弁又は手動式の弁の上流側において分岐せしめてその下流端を前記冷水供給管の前記電磁弁又は手動式の弁の上流側に接続すると共に該温水供給管の分岐部分に電磁弁又は手動式の弁を設け、適当な時期に、前記冷水供給管と前記温水供給管の夫々に設けた電磁弁又は手動式の弁と温水供給管の分岐部分に設けた電磁弁又は手動式の弁とをもって流路を切り替え、前記加熱タンクから殺菌洗浄に必要な温度の熱湯を前記温水供給管と前記冷水供給管のいずれか又は両方に流すようになしたことを特徴とする浄水供給器。
【請求項３】
浄水を貯留して冷却する冷却タンクと、浄水を加熱する加熱タンクとを備え、前記冷却タンクに給水配管として冷水供給管を接続する一方、前記加熱タンクに給水配管として温水供給管を接続してなる浄水供給器において、前記冷水供給管における下流端近傍部に電磁弁又は手動式の弁を設けると共にその下流端を蛇口に接続し、更に前記温水供給管の下流端を前記冷水供給管の前記電磁弁又は手動式の弁の上流側に接続すると共に該接続部分に三方弁を設け、適当な時期に、前記温水供給管の接続部分に設けた三方弁をもって流路を切り替え、前記加熱タンクから殺菌洗浄に必要な温度の熱湯を前記温水供給管と前記冷水供給管に流すようになしたことを特徴とする浄水供給器。
【請求項４】
浄水を貯留して冷却する冷却タンクと、浄水を加熱する加熱タンクとを備え、前記冷却タンクに給水配管として冷水供給管を接続する一方、前記加熱タンクに給水配管として温水供給管を接続してなる浄水供給器において、前記冷水供給管における下流端近傍部に電磁弁又は手動式の弁を設けると共に、その下流端を蛇口に接続し、前記温水供給管の下流端を前記冷水供給管の前記電磁弁又は手動式の弁の上流側に接続し、更に前記温水供給管の下流端近傍部に電磁弁又は手動式の弁を設けると共に、前記冷水供給管における前記温水供給管の下流端の接続部分の上流側の部分に電磁弁又は手動式の弁を設け、適当な時期に、前記冷水供給管と前記温水供給管の夫々に設けた電磁弁又は手動式の弁とをもって流路を切り替え、前記加熱タンクから殺菌洗浄に必要な温度の熱湯を前記温水供給管と前記冷水供給管に流すようになしたことを特徴とする浄水供給器。